(57)【要約】【課題】超低Ｘ線量で胸部を取得した投影データから画質の良いＣＴ画像を生成する。【解決手段】超低Ｘ線量で胸部を撮影して取得した投影データに対して、腕アーチファクト低減処理と、Ｚフィルタ処理と、ファンパラ変換処理とを組み合わせて実行することにより、ノイズおよびアーチファクトを低減する。【効果】肺ガン検診へのＸ線ＣＴ装置の導入を促進することが出来る。【選択図】  図２
2004230030.tif 000002
【特許請求の範囲】
【請求項１】
超低Ｘ線量で胸部を撮影して取得した投影データに対して腕アーチファクトの低減処理とＺフィルタ処理とファンパラ変換処理とを実行した上で画像再構成処理し、ＣＴ画像を生成することを特徴とする超低Ｘ線量ＣＴ画像生成方法。
【請求項２】
超低Ｘ線量で胸部を撮影して取得した投影データに対して腕アーチファクトの低減処理およびＺフィルタ処理を実行した上で画像再構成処理し、ＣＴ画像を生成することを特徴とする超低Ｘ線量ＣＴ画像生成方法。
【請求項３】
超低Ｘ線量で胸部を撮影して取得した投影データに対して腕アーチファクトの低減処理およびファンパラ変換処理を実行した上で画像再構成処理し、ＣＴ画像を生成することを特徴とする超低Ｘ線量ＣＴ画像生成方法。
【請求項４】
超低Ｘ線量で胸部を撮影して取得した投影データに対してＺフィルタ処理およびファンパラ変換処理を実行した上で画像再構成処理し、ＣＴ画像を生成することを特徴とする超低Ｘ線量ＣＴ画像生成方法。
【請求項５】
請求項１，請求項２および請求項３のいずれかに記載の超低Ｘ線量ＣＴ画像生成方法において、ＣＴ画像の解像度とスライス方向の解像度と連続するＣＴ画像間のノイズの均一度の３つの基準に応じて前記腕アーチファクトの低減処理のパラメータを自動設定することを特徴とする超低Ｘ線量ＣＴ画像生成方法。
【請求項６】
請求項１，請求項２および請求項４のいずれかに記載の超低Ｘ線量ＣＴ画像生成方法において、ＣＴ画像の解像度とスライス方向の解像度と連続するＣＴ画像間のノイズの均一度の３つの基準に応じて前記Ｚフィルタ処理のパラメータを自動設定することを特徴とする超低Ｘ線量ＣＴ画像生成方法。
【請求項７】
Ｘ線管と、検出器と、前記Ｘ線管又は前記検出器の少なくとも一方を撮影対象の周りに回転しながら投影データを収集するスキャン手段と、超低Ｘ線量で胸部を撮影して取得した投影データに対して腕アーチファクトの低減処理とＺフィルタ処理とファンパラ変換処理とを実行した上で画像再構成処理しＣＴ画像を生成する画像生成手段とを具備したことを特徴とするＸ線ＣＴ装置。
【請求項８】
Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対して腕アーチファクトの低減処理およびＺフィルタ処理を実行した上で画像再構成処理しＣＴ画像を生成する画像生成手段とを具備したことを特徴とするＸ線ＣＴ装置。
【請求項９】
Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対して腕アーチファクトの低減処理およびファンパラ変換処理を実行した上で画像再構成処理しＣＴ画像を生成する画像生成手段とを具備したことを特徴とするＸ線ＣＴ装置。
【請求項１０】
Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対してＺフィルタ処理およびファンパラ変換処理を実行した上で画像再構成処理しＣＴ画像を生成する画像生成手段とを具備したことを特徴とするＸ線ＣＴ装置。
【請求項１１】
請求項７，請求項８および請求項９のいずれかに記載のＸ線ＣＴ装置において、前記画像生成手段は、ＣＴ画像の解像度とスライス方向の解像度と連続するＣＴ画像間のノイズの均一度の３つの基準に応じて前記腕アーチファクトの低減処理のパラメータを自動設定することを特徴とするＸ線ＣＴ装置。
【請求項１２】
請求項７，請求項８および請求項１０のいずれかに記載のＸ線ＣＴ装置において、前記画像生成手段は、ＣＴ画像の解像度とスライス方向の解像度と連続するＣＴ画像間のノイズの均一度の３つの基準に応じて前記Ｚフィルタ処理のパラメータを自動設定することを特徴とするＸ線ＣＴ装置。
【発明の詳細な説明】
【０００１】
【発明の属する技術分野】
本発明は、超低Ｘ線量ＣＴ（Ｃｏｍｐｕｔｅｄ  Ｔｏｍｏｇｒａｐｈｙ）画像生成方法およびＸ線ＣＴ装置に関し、更に詳しくは、超低Ｘ線量で胸部を撮影して取得した投影データから画質の良いＣＴ画像を生成することが出来る超低Ｘ線量ＣＴ画像生成方法およびＸ線ＣＴ装置に関する。
【０００２】
【従来の技術】
従来のＸ線ＣＴ装置において、取得した投影データに対して腕アーチファクトの低減処理を行うことが知られている（例えば、特許文献１および非特許文献１参照。）。また、Ｚフィルタ処理を行うことが知られている（例えば、特許文献２および非特許文献２，非特許文献３，非特許文献４参照。）。また、ファンパラ変換処理を行うことが知られている（例えば、特許文献３および非特許文献５参照。）。
【０００３】
【特許文献１】
特開２００１−１１２７４９号公報
【特許文献２】
特開２００１−３５３１４３号公報
【特許文献３】
特許第３１７４２８８号公報
【非特許文献１】
辻岡勝美著「ＣＴ自由自在」株式会社メジカルビュー社、２００１年７月１０日、第４０頁、第１０１頁
【非特許文献２】
Ｈ．Ｈｕ  ａｎｄ  Ｙ．Ｓｈｅｎ“Ｈｅｌｉｃａｌ  ＣＴ  ｒｅｃｏｎｓｔｒｕｃｔｉｏｎ  ｗｉｔｈ  ｌｏｎｇｉｔｕｄｉｎａｌ  ｆｉｌｔｒａｔｉｏｎ”Ｍｅｄｉｃａｌ  Ｐｈｙｓｉｃｓ  ２５，  Ｎｏｖｅｍｂｅｒ  １９９８
【非特許文献３】
辻岡勝美著「ＣＴ自由自在」株式会社メジカルビュー社、２００１年７月１０日、第５９頁
【非特許文献４】
山下康行著「極めるマルチスライスＣＴ」株式会社中外医学社、２００１年４月１５日、第２３〜２４頁
【非特許文献５】
山下康行著「極めるマルチスライスＣＴ」株式会社中外医学社、２００１年４月１５日、第１１２頁第１９〜２０行
【０００４】
【発明が解決しようとする課題】
近年、肺ガン検診において、被曝低減のために管電流４０ｍＡ以下の超低Ｘ線量で撮影することが提案されている。
しかし、超低Ｘ線量で胸部を撮影したＣＴ画像は、ノイズおよびアーチファクトの多い低画質になる問題点がある。
【０００５】
一方、Ｘ線ＣＴ装置において、腕アーチファクトの低減処理とＺフィルタ処理とファンパラ変換処理とがそれぞれ知られていたが、いずれも解像度を劣化させてしまうため、いずれか一つが選択的に実施されており、これらが組み合わせて実施されることはなかった。また、これらの処理を超低Ｘ線量で胸部を撮影して取得した投影データに対して実行することは考えられていなかった。
【０００６】
そこで、本発明の目的は、腕アーチファクトの低減処理とＺフィルタ処理とファンパラ変換処理とを利用して、超低Ｘ線量で胸部を撮影して取得した投影データから画質の良いＣＴ画像を生成することが出来る超低Ｘ線量ＣＴ画像生成方法およびＸ線ＣＴ装置を提供することにある。
【０００７】
【課題を解決するための手段】
第１の観点では、本発明は、超低Ｘ線量で胸部を撮影して取得した投影データに対して腕アーチファクトの低減処理とＺフィルタ処理とファンパラ変換処理とを実行した上で画像再構成処理し、ＣＴ画像を生成することを特徴とする超低Ｘ線量ＣＴ画像生成方法を提供する。
腕アーチファクトの低減処理とＺフィルタ処理とファンパラ変換処理とはいずれも解像度を劣化させてしまうため、これらが組み合わせて実施されることはなく、また、これらの処理を超低Ｘ線量で胸部を撮影して取得した投影データに対して実行することは考えられていなかった。
ところが、本願発明者らが、超低Ｘ線量で胸部を撮影して取得した投影データに対して、腕アーチファクトの低減処理とＺフィルタ処理とファンパラ変換処理とを組み合わせて実行してみたところ、解像度が劣化するデメリットよりも、ノイズおよびアーチファクトを低減できるメリットの方がはるかに大きいことを見い出し、本発明を完成した。
すなわち、上記第１の観点による超低Ｘ線量ＣＴ画像生成方法では、超低Ｘ線量で胸部を撮影して取得した投影データに対して腕アーチファクトの低減処理とＺフィルタ処理とファンパラ変換処理とを組み合わせて実行することにより、ノイズおよびアーチファクトを低減した画質の良いＣＴ画像を生成できる。これにより、肺ガン検診へのＸ線ＣＴ装置の導入を促進することが出来る。
【０００８】
第２の観点では、本発明は、超低Ｘ線量で胸部を撮影して取得した投影データに対して腕アーチファクトの低減処理およびＺフィルタ処理を実行した上で画像再構成処理し、ＣＴ画像を生成することを特徴とする超低Ｘ線量ＣＴ画像生成方法を提供する。
腕アーチファクトの低減処理とＺフィルタ処理とはいずれも解像度を劣化させてしまうため、これらが組み合わせて実施されることはなく、また、これらの処理を超低Ｘ線量で胸部を撮影して取得した投影データに対して実行することは考えられていなかった。
ところが、本願発明者らが、超低Ｘ線量で胸部を撮影して取得した投影データに対して、腕アーチファクトの低減処理とＺフィルタ処理とを組み合わせて実行してみたところ、解像度が劣化するデメリットよりも、ノイズおよびアーチファクトを低減できるメリットの方がはるかに大きいことを見い出し、本発明を完成した。
すなわち、上記第２の観点による超低Ｘ線量ＣＴ画像生成方法では、超低Ｘ線量で胸部を撮影して取得した投影データに対して腕アーチファクトの低減処理とＺフィルタ処理とを組み合わせて実行することにより、ノイズおよびアーチファクトを低減した画質の良いＣＴ画像を生成できる。これにより、肺ガン検診へのＸ線ＣＴ装置の導入を促進することが出来る。
【０００９】
第３の観点では、本発明は、超低Ｘ線量で胸部を撮影して取得した投影データに対して腕アーチファクトの低減処理およびファンパラ変換処理を実行した上で画像再構成処理し、ＣＴ画像を生成することを特徴とする超低Ｘ線量ＣＴ画像生成方法を提供する。
腕アーチファクトの低減処理とファンパラ変換処理とはいずれも解像度を劣化させてしまうため、これらが組み合わせて実施されることはなく、また、これらの処理を超低Ｘ線量で胸部を撮影して取得した投影データに対して実行することは考えられていなかった。
ところが、本願発明者らが、超低Ｘ線量で胸部を撮影して取得した投影データに対して、腕アーチファクトの低減処理とファンパラ変換処理とを組み合わせて実行してみたところ、解像度が劣化するデメリットよりも、ノイズおよびアーチファクトを低減できるメリットの方がはるかに大きいことを見い出し、本発明を完成した。
すなわち、上記第３の観点による超低Ｘ線量ＣＴ画像生成方法では、超低Ｘ線量で胸部を撮影して取得した投影データに対して腕アーチファクトの低減処理とファンパラ変換処理とを組み合わせて実行することにより、ノイズおよびアーチファクトを低減した画質の良いＣＴ画像を生成できる。これにより、肺ガン検診へのＸ線ＣＴ装置の導入を促進することが出来る。
【００１０】
第４の観点では、本発明は、超低Ｘ線量で胸部を撮影して取得した投影データに対してＺフィルタ処理およびファンパラ変換処理を実行した上で画像再構成処理し、ＣＴ画像を生成することを特徴とする超低Ｘ線量ＣＴ画像生成方法を提供する。
Ｚフィルタ処理とファンパラ変換処理とはいずれも解像度を劣化させてしまうため、これらが組み合わせて実施されることはなく、また、これらの処理を超低Ｘ線量で胸部を撮影して取得した投影データに対して実行することは考えられていなかった。
ところが、本願発明者らが、超低Ｘ線量で胸部を撮影して取得した投影データに対して、Ｚフィルタ処理とファンパラ変換処理とを組み合わせて実行してみたところ、解像度が劣化するデメリットよりも、ノイズおよびアーチファクトを低減できるメリットの方がはるかに大きいことを見い出し、本発明を完成した。
すなわち、上記第４の観点による超低Ｘ線量ＣＴ画像生成方法では、超低Ｘ線量で胸部を撮影して取得した投影データに対してＺフィルタ処理とファンパラ変換処理とを組み合わせて実行することにより、ノイズおよびアーチファクトを低減した画質の良いＣＴ画像を生成できる。これにより、肺ガン検診へのＸ線ＣＴ装置の導入を促進することが出来る。
【００１１】
第５の観点では、本発明は、上記構成の超低Ｘ線量ＣＴ画像生成方法において、ＣＴ画像の解像度と，スライス方向の解像度と，連続するＣＴ画像間のノイズの均一度の３つの基準に応じて、前記腕アーチファクトの低減処理のパラメータを自動設定することを特徴とする超低Ｘ線量ＣＴ画像生成方法を提供する。
上記第５の観点による超低Ｘ線量ＣＴ画像生成方法では、超低Ｘ線量で撮影する際の撮影パラメータであるＣＴ画像の解像度とスライス方向の解像度と連続するＣＴ画像間のノイズの均一度の３つの基準に応じて腕アーチファクトの低減処理のパラメータを自動的に最適化するため、最も良好な画質を得ることが出来る。
【００１２】
第６の観点では、本発明は、上記構成の超低Ｘ線量ＣＴ画像生成方法において、ＣＴ画像の解像度と，スライス方向の解像度と，連続するＣＴ画像間のノイズの均一度の３つの基準に応じて、前記Ｚフィルタ処理のパラメータを自動設定することを特徴とする超低Ｘ線量ＣＴ画像生成方法を提供する。
上記第６の観点による超低Ｘ線量ＣＴ画像生成方法では、超低Ｘ線量で撮影する際の撮影パラメータであるＣＴ画像の解像度とスライス方向の解像度と連続するＣＴ画像間のノイズの均一度の３つの基準に応じてＺフィルタ処理のパラメータを自動的に最適化するため、最も良好な画質を得ることが出来る。
【００１３】
第７の観点では、本発明は、Ｘ線管と、検出器と、前記Ｘ線管又は前記検出器の少なくとも一方を撮影対象の周りに回転しながら投影データを収集するスキャン手段と、超低Ｘ線量で胸部を撮影して取得した投影データに対して腕アーチファクトの低減処理とＺフィルタ処理とファンパラ変換処理とを実行した上で画像再構成処理しＣＴ画像を生成する画像生成手段とを具備したことを特徴とするＸ線ＣＴ装置を提供する。
上記第７の観点によるＸ線ＣＴ装置では、前記第１の観点による超低Ｘ線量ＣＴ画像生成方法を好適に実施しうる。
【００１４】
第８の観点では、本発明は、Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対して腕アーチファクトの低減処理およびＺフィルタ処理を実行した上で画像再構成処理しＣＴ画像を生成する画像生成手段とを具備したことを特徴とするＸ線ＣＴ装置を提供する。
上記第８の観点によるＸ線ＣＴ装置では、前記第２の観点による超低Ｘ線量ＣＴ画像生成方法を好適に実施しうる。
【００１５】
第９の観点では、本発明は、Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対して腕アーチファクトの低減処理およびファンパラ変換処理を実行した上で画像再構成処理しＣＴ画像を生成する画像生成手段とを具備したことを特徴とするＸ線ＣＴ装置を提供する。
上記第９の観点によるＸ線ＣＴ装置では、前記第３の観点による超低Ｘ線量ＣＴ画像生成方法を好適に実施しうる。
【００１６】
第１０の観点では、本発明は、Ｘ線管と、検出器と、前記Ｘ線管または前記検出器の少なくとも一方を撮影対象の周りに回転しながら投影データを収集するスキャン手段と、超低Ｘ線量で胸部を撮影して取得した投影データに対してＺフィルタ処理およびファンパラ変換処理を実行した上で画像再構成処理しＣＴ画像を生成する画像生成手段とを具備したことを特徴とするＸ線ＣＴ装置を提供する。
上記第１０の観点によるＸ線ＣＴ装置では、前記第４の観点による超低Ｘ線量ＣＴ画像生成方法を好適に実施しうる。
【００１７】
第１１の観点では、本発明は、上記構成のＸ線ＣＴ装置において、前記画像生成手段は、ＣＴ画像の解像度とスライス方向の解像度と連続するＣＴ画像間のノイズの均一度の３つの基準に応じて前記腕アーチファクトの低減処理のパラメータを自動設定することを特徴とするＸ線ＣＴ装置を提供する。
上記第１１の観点によるＸ線ＣＴ装置では、前記第５の観点による超低Ｘ線量ＣＴ画像生成方法を好適に実施しうる。
【００１８】
第１２の観点では、本発明は、上記構成のＸ線ＣＴ装置において、前記画像生成手段は、ＣＴ画像の解像度とスライス方向の解像度と連続するＣＴ画像間のノイズの均一度の３つの基準に応じて前記Ｚフィルタ処理のパラメータを自動設定することを特徴とするＸ線ＣＴ装置を提供する。
上記第１２の観点によるＸ線ＣＴ装置では、前記第６の観点による超低Ｘ線量ＣＴ画像生成方法を好適に実施しうる。
【００１９】
【発明の実施の形態】
以下、図に示す実施の形態により本発明をさらに詳細に説明する。なお、これにより本発明が限定されるものではない。
【００２０】
図１は、本発明の一実施形態にかかるＸ線ＣＴ装置を示す構成ブロック図である。
このＸ線ＣＴ装置１００は、操作コンソール１と、撮影テーブル１０と、走査ガントリ２０とを具備している。
【００２１】
操作コンソール１は、操作者の入力を受け付ける入力装置２と、画像生成処理などを実行する中央処理装置３と、走査ガントリ２０で取得した投影データを収集する投影データ収集バッファ５と、投影データから再構成したＣＴ画像を表示するＣＲＴ６と、プログラムや投影データやＣＴ画像を記憶する記憶装置７とを具備している。
【００２２】
テーブル装置１０は、被検体を乗せて走査ガントリ２０のボア（空洞部）に入れ出しするクレードル１２を具備している。クレードル１２は、テーブル装置１０に内蔵するモータで駆動される。
【００２３】
走査ガントリ２０は、Ｘ線管２１と、Ｘ線コントローラ２２と、コリメータ２３と、検出器２４と、ＤＡＳ（Ｄａｔａ  Ａｃｑｕｉｓｉｔｉｏｎ  Ｓｙｓｔｅｍ）２５と、被検体の体軸の回りにＸ線管２１などを回転させる回転コントローラ２６と、制御信号などを操作コンソール１やテーブル装置１０とやり取りする制御インタフェース２９とを具備している。
【００２４】
図３に示すように、「Ｌモード」と「Ｍモード」と「Ｈモード」の３種類の撮影モードがあり、いずれかをオペレータが撮影前に選択する。被曝を小さくすることを重視する場合は「Ｌモード」を選択し、ＣＴ画像を鮮明することを重視する場合は「Ｈモード」を選択し、バランスをとりたい場合は「Ｍモード」を選択する。
「Ｌモード」を選択すると、管電流「１０ｍＡ」，ＸＹ面（アキシャル画像面）内の解像度「８」、Ｚ方向（スライス方向）の解像度「５」、連続する画像（アキシャル画像）間のノイズの均一度（関心領域の分散）「２０」に撮影パラメータが設定されてヘリカルスキャンされる。
Ｍモードを選択すると、管電流「２５ｍＡ」，ＸＹ面内の解像度「１０」、Ｚ方向の解像度「２．５」、連続する画像間のノイズの均一度「５０」に撮影パラメータが設定されてヘリカルスキャンされる。
Ｈモードを選択すると、管電流「４０ｍＡ」，ＸＹ面内の解像度「１２」、Ｚ方向の解像度「１．２５」、連続する画像間のノイズの均一度「８０」に撮影パラメータが設定されてヘリカルスキャンされる。
【００２５】
図２は、超低Ｘ線量で胸部をヘリカルスキャンして取得した投影データに対する画像生成処理を示すフロー図である。なお、腕アーチファクトの低減処理とＺフィルタ処理とファンパラ変換処理のうちの少なくとも２つを実施するようにデフォルトで又はオペレータが予め設定しておく。
ステップＳ１では、投影データに対して、前処理（オフセット補正，対数補正，Ｘ線線量補正，感度補正）を行う。
【００２６】
ステップＳ２では、腕アーチファクトの低減処理の一例であるＡＡＲ（Ａｒｍ  Ａｒｔｉｆａｃｔ  Ｒｅｄｕｃｔｉｏｎ）を実施するか否かの設定をチェックし、実施するならステップＳ３へ進み、実施しないならステップＳ５へ進む。
【００２７】
ステップＳ３では、撮影モードに応じてＡＡＲのパラメータを自動設定する。
すなわち、図３に示すように、撮影モードが「Ｌモード」ならスムージング幅「７点」，閾値「４」，荷重タイプ「一様」を設定し、「Ｍモード」ならスムージング幅「７点」，閾値「２」，荷重タイプ「一様」を設定し、「Ｈモード」ならスムージング幅「７点」，閾値「１」，荷重タイプ「ガウス」を設定する。
【００２８】
ステップＳ４では、自動設定したＡＡＲのパラメータを用いてＡＡＲを実施する。
すなわち、ある点の投影データ値が隣接する点の投影データ値より“閾値”以上に下がっている場合に、当該点を中心とする“スムージング幅”分の連続する点の投影データ値を加重平均した値を当該点の投影データ値とする。そして、荷重タイプ「一様」なら各投影データに掛ける荷重を一定にし、荷重タイプ「ガウス」なら当該点から離れるほど各投影データに掛ける荷重を小さくする。
【００２９】
ステップＳ５では、投影データに対してヘリカル補間のための重み付けを行う。
【００３０】
ステップＳ６では、Ｚフィルタ処理を実施するか否かの設定をチェックし、実施するならステップＳ７へ進み、実施しないならステップＳ９へ進む。
【００３１】
ステップＳ７では、撮影モードに応じてＺフィルタ処理のパラメータを自動設定する。
すなわち、図３に示すように、ファンパラ変換処理を実施する場合であって撮影モードが「Ｌモード」ならＺフィルタの係数「２」を設定し、「Ｍモード」ならＺフィルタの係数「１．８」を設定し、「Ｈモード」ならＺフィルタの係数「１．４」を設定する。また、ファンパラ変換処理を実施しない場合であって撮影モードが「Ｌモード」ならＺフィルタの係数「２．５」を設定し、「Ｍモード」ならＺフィルタの係数「２」を設定し、「Ｈモード」ならＺフィルタの係数「１．８」を設定する。
【００３２】
ステップＳ８では、自動設定したＺフィルタのパラメータを用いてＺフィルタ処理を実施する。
すなわち、Ｚ方向（スライス方向）に複数の投影データを選んで加重平均し、画像再構成面上の投影データを算出する。そして、設定されたＺフィルタの係数に基づいて各投影データに掛ける荷重を決める。
【００３３】
ステップＳ９では、ファンパラ変換処理を実施するか否かの設定をチェックし、実施するならステップＳ１０へ進み、実施しないならステップＳ１１へ進む。
【００３４】
ステップＳ１０では、ファンパラ変換処理を実施する。
すなわち、ファンビームによって得られた投影データを例えばｒｅｂｉｎｎｉｎｇ法によりパラレルビームによって得られた如き投影データに変換する。なお、ファンパラ変換処理をハードウエア的に行ってもよいし、ソフトウエア的に行ってもよい。
【００３５】
ステップＳ１１では、例えばＦＢＰ（Ｆｉｌｔｅｒｄ  Ｂａｃｋ  Ｐｒｏｊｅｃｔｉｏｎ）法により、投影データからＣＴ画像を生成する。
ステップＳ１２では、表示に適するようにＣＴ画像に後処理を施す。
ステップＳ１３では、ＣＴ画像をＣＲＴ６に表示する。
【００３６】
以上のＸ線ＣＴ装置１００によれば、超低Ｘ線量で胸部を撮影して取得した投影データに対して腕アーチファクトの低減処理とＺフィルタ処理とファンパラ変換処理とを組み合わせて実行することにより、ノイズおよびアーチファクトを低減した画質の良いＣＴ画像を生成できる。
【００３７】
なお、腕アーチファクトの低減処理およびＺフィルタ処理だけを実行する場合は、ステップＳ９，Ｓ１０を省略してもよい。また、腕アーチファクトの低減処理およびファンパラ変換処理だけを実行する場合は、ステップＳ６〜Ｓ８を省略してもよい。また、Ｚフィルタ処理およびファンパラ変換処理だけを実行する場合は、ステップＳ２〜Ｓ４を省略してもよい。
【００３８】
【発明の効果】
本発明の超低Ｘ線量ＣＴ画像生成方法およびＸ線ＣＴ装置によれば、超低Ｘ線量で胸部を撮影して取得した投影データに対して腕アーチファクトの低減処理とＺフィルタ処理とファンパラ変換処理のうちの少なくとも２つを組み合わせて実行することにより、ノイズおよびアーチファクトを低減した画質の良いＣＴ画像を生成できる。そして、これにより、肺ガン検診へのＸ線ＣＴ装置の導入を促進することが出来る。
【図面の簡単な説明】
【図１】本発明の一実施形態にかかるＸ線ＣＴ装置を示すブロック図である。
【図２】超低Ｘ線量で胸部を撮影して取得した投影データに対する画像生成処理を示すフロー図である。
【図３】腕アーチファクトの低減処理のパラメータおよびＺフィルタ処理のパラメータを例示する図表である。
【符号の説明】
１                  操作コンソール
３                  中央処理装置
２０                走査ガントリ
２１                Ｘ線管
２４                検出器
【図１】
2004230030.tif 000003
【図２】
2004230030.tif 000004
【図３】
2004230030.tif 000005